(57)【要約】【課題】分割後のＰ２Ｐモードでの繰延回復を可能とする。【解決手段】方法は、コンテンツブロードキャストネットワークＮ１を介して通信設備Ｔ１，Ｔ２へコンテンツを送信する工程と、コンテンツを完全に受信し記憶した通信設備Ｔ１，Ｔ２を決定する工程と、各記憶されたコンテンツを所定の規則に従ってチャンクに分けて最初と最後のチャンクを指定するよう求めるために、決定された通信設備のうち１つＴ１を選択する工程と、他の通信設備Ｔ２にそのコンテンツの夫々の最初と最後のチャンクの指定を考慮しながら所定の規則に従ってコンテンツの分割を進めるよう求める工程と、分割されたコンテンツの識別子を、コンテンツを分割した通信設備Ｔ１，Ｔ２の識別子と対応付けて記憶する工程とを有する。これより、コンテンツはピア・ツー・ピア型の送信モードに従って他の通信設備Ｔ１’，Ｔ３’によって通信設備Ｔ１，Ｔ２から回復され得る。【選択図】図１
2009177811.tif 000002
【特許請求の範囲】
【請求項１】
コンテンツブロードキャストネットワークへ及び通信ネットワークへ接続される通信設備へコンテンツを送信する方法であって、
ｉ）前記ブロードキャストネットワークを介して通信設備へライブでコンテンツを送信する工程と、
ｉｉ）送信された前記コンテンツを完全に受信し記憶した通信設備を決定する工程と、
ｉｉｉ）各記憶されたコンテンツを所定の規則に従ってチャンクに分けて、各記憶されたコンテンツで最初と最後のチャンクを指定することを求めるために、決定された通信設備のアイテムのうち１つを選択する工程と、
ｉｖ）前記送信されたコンテンツを完全に記憶した他の通信設備に、該記憶されたコンテンツの夫々の最初と最後のチャンクの指定を考慮しながら前記所定の規則に従って前記記憶されたコンテンツの分割を進めるよう求める工程と、
ｖ）前記分割されたコンテンツの識別子を、これらのコンテンツがピア・ツー・ピア型式の送信モードに従って他の通信設備によって前記通信設備のアイテムから回復され得るように、これらのコンテンツを分割した前記通信設備の識別子と対応付けて記憶する工程と
を有することを特徴とする方法。
【請求項２】
前記工程ｉｉｉ）で、通信設備のアイテムは少なくとも１つの選ばれた規準に従って選択される、ことを特徴とする請求項１記載の方法。
【請求項３】
前記工程ｉｉｉ）で、通信設備のアイテムはくじで選ぶことによって選択される、ことを特徴とする請求項１記載の方法。
【請求項４】
前記工程ｉｉｉ）で、選択された前記通信設備のアイテムは、コンテンツデータに伴うヘッダから選択される情報の少なくとも１つの項目の検出に関する所定の規則に従って、記憶される各コンテンツをチャンクに分ける、ことを特徴とする請求項１乃至３のうちいずれか一項記載の方法。
【請求項５】
前記工程ｉｉｉ）で、情報の選択されるフィールドの存在が検出され、検出された各情報フィールドは２つの連続するチャンクの境界を定めるために使用される、ことを特徴とする請求項４記載の方法。
【請求項６】
前記工程ｉｉｉ）で、ＭＰＥＧ−２ＴＳフォーマットに従って送信されるコンテンツの存在下で、前記情報のフィールドは少なくともＰＣＲフィールド、ＰＴＳフィールド及びＥＩＴ−ＰＦフィールドから選択される、ことを特徴とする請求項５記載の方法。
【請求項７】
前記工程ｉｖ）で、前記送信されたコンテンツを完全に記憶した通信設備の各アイテムは、当該コンテンツに関して指定される前記最初と最後のチャンクの前後に位置付けられているコンテンツの如何なるチャンクも削除する、ことを特徴とする請求項１乃至６のうちいずれか一項記載の方法。
【請求項８】
前記工程ｉｉ）で、通信設備のアイテムが前記送信されたコンテンツを完全に記憶している場合に、該通信設備のアイテムはその旨を管理設備のアイテムへ知らせ、
前記工程ｉｉｉ）で、前記管理設備のアイテムは、該管理設備のアイテムに前記コンテンツの完全な記憶を知らせたものから通信設備のアイテムを選択して、この選択された通信設備のアイテムに、記憶された各コンテンツを前記所定の規則に従ってチャンクに分割して、各記憶されたコンテンツでその最初と最後のチャンクを指定するよう求める、ことを特徴とする請求項１乃至７のうちいずれか一項記載の方法。
【請求項９】
前記工程ｉｉｉ）で、前記管理設備のアイテムは、更に、前記選択された通信設備のアイテムに、それらのコンテンツの最初と最後のチャンクの前記指定を該管理設備のアイテムへ送信するよう求め、
前記工程ｉｖ）で、前記管理設備のアイテムは、前記送信されたコンテンツを完全に記憶している前記他の通信設備へ、これらのコンテンツの最初と最後のチャンクの前記指定を送信し、これにより、前記他の通信設備は、前記所定の規則に従って且つ前記指定を考慮しながら前記記憶されたコンテンツの分割を進め、
前記工程ｖ）で、前記管理設備のアイテムは、分割されたコンテンツの識別子を、これらのコンテンツを分割した前記通信設備の識別子と対応付けて記憶する、ことを特徴とする請求項８記載の方法。
【請求項１０】
コンテンツブロードキャストネットワークへ及び通信ネットワークへ接続されるのに適した通信設備のアイテムのための制御装置であって、
前記通信設備のアイテムが前記ブロードキャストネットワークを介して送信される全てのコンテンツを受信し記憶したかどうかを決定し、全てのコンテンツの受信及び記憶が確認される場合に、前記通信設備のアイテムによる前記コンテンツの完全な記憶を知らせるメッセージの管理設備のアイテムへの送信を開始するよう配置される解析手段を有することを特徴とする制御装置。
【請求項１１】
前記管理設備のアイテムからのメッセージを受信する場合に、前記通信設備のアイテムをマスタとして指定し、記憶された前記コンテンツを所定の規則に従ってチャンクに分割して該記憶されたコンテンツに関して最初と最後のチャンクを指定するために該記憶されたコンテンツの分割を要求するよう配置され、これにより、前記分割されたコンテンツがピア・ツー・ピア型式の送信モードに従って他の通信設備によって回復され得るようにする処理手段を有することを特徴とする請求項１０記載の制御装置。
【請求項１２】
前記処理手段は、前記分割されたコンテンツの最初と最後のチャンクの指定を含むメッセージの前記管理設備のアイテムへの送信を開始するよう配置される、ことを特徴とする請求項１１記載の制御装置。
【請求項１３】
前記処理手段は、前記管理設備のアイテムからの、以前に記憶されたコンテンツの最初と最後のチャンクの指定を含むメッセージを受信する場合に、前記所定の規則に従って且つ当該コンテンツに関して指定される前記最初と最後のチャンクを考慮しながら当該コンテンツをチャンクに分割するよう配置され、これにより、該分割されたコンテンツがピア・ツー・ピア型式の送信モードに従って他の通信設備によって回復され得るようにする、ことを特徴とする請求項１１又は１２記載の制御装置。
【請求項１４】
前記処理手段は、コンテンツデータに伴うヘッダから選択される情報の少なくとも１つの項目の検出に関する所定の規則に従って、記憶される各コンテンツをチャンクに分けるよう配置される、ことを特徴とする請求項１１乃至１３のうちいずれか一項記載の制御装置。
【請求項１５】
前記処理手段は、情報の選択されるフィールドの存在を検出し、検出された各情報フィールドを２つの連続するチャンクの境界を定めるために使用するよう配置される、ことを特徴とする請求項１４記載の制御装置。
【請求項１６】
ＭＰＥＧ−２ＴＳフォーマットに従って送信されるコンテンツの存在下で、前記情報のフィールドは少なくともＰＣＲフィールド、ＰＴＳフィールド及びＥＩＴ−ＰＦフィールドから選択される、ことを特徴とする請求項１５記載の制御装置。
【請求項１７】
前記処理手段は、分割されたコンテンツで、該コンテンツに関して指定される前記最初と最後のチャンクの前後に位置付けられているコンテンツの如何なるチャンクも削除するよう配置される、ことを特徴とする請求項１１乃至１６のうちいずれか一項記載の制御装置。
【請求項１８】
コンテンツブロードキャストネットワークへ及び通信ネットワークへ接続されるのに適した通信設備であって、
請求項１０乃至１７のうちいずれか一項記載の制御装置を有することを特徴とする通信設備。
【請求項１９】
請求項１８記載の通信設備が接続されるコンテンツブロードキャストネットワーク及び／又は通信ネットワークのための管理設備であって、
通信設備の組によるコンテンツの完全な記憶を知らせるメッセージを受信する場合に、前記組から通信設備のアイテムのうち１つを選択し、この選択された通信設備のアイテムへ、該アイテムに、該アイテムが完全に記憶したコンテンツを所定の規則に従ってチャンクに分割して、記憶された各コンテンツで最初と最後のチャンクを指定するよう求めるメッセージを送信するよう配置される選択手段を有することを特徴とする管理設備。
【請求項２０】
前記選択手段は、更に、前記メッセージにおいて、前記通信設備のアイテムが、該アイテムが完全に記憶したコンテンツの最初と最後のチャンクの指定を当該管理設備のアイテムへ送信することを求めるよう配置され、
当該管理設備は、コンテンツを完全に記憶した設備の組の一部である通信設備のアイテムからの、該コンテンツの最初と最後のチャンクの指定を含むメッセージを受信する場合に、これらの指定を前記組の他の通信設備へ送信するよう配置され、これにより、前記他の通信設備が、自身の番になって、前記所定の規則に従って且つその最初と最後のチャンクの指定を考慮しながら前記記憶されたコンテンツの分割を進めるようにする管理手段を有する、ことを特徴とする請求項１９記載の管理設備。
【請求項２１】
前記分割されたコンテンツの識別子を、これらのコンテンツがピア・ツー・ピア型式の送信モードに従って他の通信設備によって前記通信設備のアイテムから回復され得るように、これらのコンテンツを分割した通信設備の識別子と対応付けて記憶するのに適した記憶手段を有する、ことを特徴とする請求項１９又は２０記載の管理設備。
【請求項２２】
前記選択手段は、少なくとも１つの選ばれた規準に従って通信設備のアイテムを選択するよう配置される、ことを特徴とする請求項１９乃至２１のうちいずれか一項記載の管理設備。
【請求項２３】
前記選択手段は、くじで選ぶことによって通信設備のアイテムを選択するよう配置される、ことを特徴とする請求項１９乃至２１のうちいずれか一項記載の管理設備。
【請求項２４】
少なくともＡＤＳＬ、ＤＶＢ−Ｔ、ＤＶＢ−Ｈ、Ｔ−ＤＭＢ及びＤＡＢを含むグループから選択される型式のブロードキャストネットワークの場合の、請求項１乃至９のうちいずれか一項記載の方法、請求項１０乃至１７のうちいずれか一項記載の制御装置、請求項１８記載の通信設備、及び請求項１９乃至２３のうちいずれか一項記載の管理設備の使用。
【発明の詳細な説明】
【技術分野】
【０００１】
本発明は、繰延使用のために他の通信設備にコンテンツを利用可能とすることを目的とした、ブロードキャストネットワーク（インフラ）へ接続される通信設備へのコンテンツ、場合によりマルチメディアのストリーミング及びライブ放送に関する。
【０００２】
本発明は、通信設備を対象とした（場合により、多重化された）コンテンツのストリーミング又はライブの（若しくはわずかに遅延のある）ブロードキャストの能力を備えた全ての有線又は無線のブロードキャストネットワークに関する。従って、本発明は、例えば、ｘＤＳＬ（x  Digital  Subscriber  Line）型式のライン若しくはケーブル又は光ファイバのような、高い又は中間のビットレート送信ラインネットワーク等の有線ネットワークや、あるいは（例えば、ＤＶＢ−Ｔ、ＤＶＢ−Ｈ、Ｔ−ＤＢＭ若しくはＤＡＢ型式の）地上又は衛星のブロードキャストネットワーク、あるいはまた（地上（例えば、ＤＶＢ−Ｈ）及び衛星の両方である）ハイブリットネットワークに関する。
【０００３】
更に、“通信設備”は、１つのブロードキャストネットワークへ及び有線又は無線の通信ネットワークへ少なくとも接続することができる、あるいはこれらの一部である、あらゆる型式の通信設備も意味すると理解される。従って、本発明は、例えば、固定又は移動（若しくはセル）式の電話、固定又は携帯型のコンピュータ、携帯情報端末（ポケットＰＣを含むＰＤＡ）、コンテンツ受信機（例えば、デコーダ、レジデンシャルゲートウェイ又はＳＴＢ（Set-Top  Boxes）。）が、例えばＩＰ（インターネットプロトコル）型式のコンテンツデータパケットを交換するのに適した通信手段を備えられている限り、これらのものに関する。
【０００４】
加えて、“コンテンツ”は、テレビジョン又は映像若しくは音声プログラム（ラジオ又はミュージカル）又はゲーム又はマルチメディア、あるいはまた電子ファイル（又はデータ）を定義するデータの組を意味すると、ここでは理解される。
【背景技術】
【０００５】
当該技術において通常の知識を有する者として、通信設備のアイテム（item）を有するクライアントへ（例えば、ＤＶＢ−Ｔネットワークの場合と）同じチャネルで場合により多重化されたブロードキャストネットワークを介してストリーミングによって及びライブでコンテンツを送信することが提案されている。ブロードキャストモード（ブロードキャスト又はマルチキャスト）でのこのような送信は、ビデオ・オンデマンド・サービス（ＶＯＤ）の枠組み内で行われ得る。これは、クライアントが要求した（あるいは、クライアントに興味を引き起こしそうな）１又はそれ以上の組のコンテンツを、あるいはライブのプログラム放送サービス（例えば、テレビジョン又は音楽。）をクライアントに提供することにある。
【０００６】
例えば、全てのコンテンツは、それらが記憶され得るように、グループの全クライアントへ送信され得、各クライアントは、自身が対応する使用権を支払った場合にのみ、記憶されたコンテンツを使用することができる。放送のコンテンツは、また、その後の回復を視野に入れて、通信ネットワークを介してアクセス可能な分散型サーバに又は集中型サーバにコンテンツプロバイダ（又はオペレータ）によって記憶されることが知られる。
【０００７】
この方法は、ブロードキャストネットワークリソースの利用に関して有利である。しかし、クライアントの（通信）設備が放送のコンテンツの少なくとも一部分を受信しなかった場合は、設備は、この失った部分を、通信ネットワークを介して集中型サーバから又は分散型サーバから回復する。これは、通信ネットワークのリソースを独占し、そのコアのネットワークレベルで幾つかの動作を必要とする。このようなコンテンツ（の一部）の回復は、絶えず増大するクライアントの数のために、ネットワークオペレータによって大問題となっている。加えて、この方法は、（極めて）高い記憶容量を備えた１又はそれ以上のサーバを用いることを必要とし、故に、その費用は、記憶容量が増大するだけ大きくなる。
【０００８】
このような状況を改善するために、グループの様々なクライアントの間でコンテンツを分配し、ピア・ツー・ピア（Ｐ２Ｐ）モードにおいてクライアント間で、選択されるコンテンツを繰延モードで交換することが提案されている。この方法は、“P2P  proxy：peer-to-peer  proxy  caching  scheme  for  VOD  service”、Ｌｅｅ等、Computational  Intelligence  and  Multimedia  Applicationsに関する第６回国際会議議事録、２７２〜２７７頁、アメリカ合衆国カリフォルニア州ロスアラミトス開催、２００５年、ＩＥＥＥ  Ｃｏｍｐｕｔ．Ｓｏｃ．（非特許文献１）に記載されている。
【０００９】
国際公開第２００７／０２１７２５号（特許文献１）は、ピア・ツー・ピアの加入者コミュニティのための、マルチソースの且つ回復力のあるビデオ・オンデマンドのストリーミングシステムを開示する。
【００１０】
米国特許出願公開第２００３／００８６０２３号（特許文献２）は、ネットワークインターフェースを含むパーソナルビデオデコーダについて記載する。
【先行技術文献】
【特許文献】
【００１１】
【特許文献１】国際公開第２００７／０２１７２５号
【特許文献２】米国特許出願公開第２００３／００８６０２３号
【非特許文献】
【００１２】
【非特許文献１】“P2P  proxy：peer-to-peer  proxy  caching  scheme  for  VOD  service”、Ｌｅｅ等、Computational  Intelligence  and  Multimedia  Applicationsに関する第６回国際会議議事録、２７２〜２７７頁、アメリカ合衆国カリフォルニア州ロスアラミトス開催、２００５年、ＩＥＥＥ  Ｃｏｍｐｕｔ．Ｓｏｃ．
【発明の概要】
【発明が解決しようとする課題】
【００１３】
先行技術文献に記載されるような方法の欠点は、それが、同じグループの、従って互いに知っているクライアント間での繰り延べられた放送コンテンツの回復としか関連していないという事実にある。グループの一部でないクライアントが繰り延べられたコンテンツを回復したいと望む場合は、その動作は複雑であり、１又はそれ以上のグループのクライアントの通信設備の幾つかのアイテムを有してセットアップされるべきリンクを必要としうる。
【００１４】
加えて、コンテンツの放送時間が全く正確でないと仮定すると、クライアントの通信設備のアイテムがコンテンツの端部を構成するデータを次のコンテンツを構成するデータと区別することを可能にする既知の方法は存在しない。結果として、他の通信設備によるＰ２Ｐモードでの後の回復を目的として、コンテンツの連続するストリームによってもたらされる特定のコンテンツの全体を通信設備のアイテムにどのように記憶すべきかは知られていない。
【００１５】
従って、本発明の目的は、現状を改善することである。
【課題を解決するための手段】
【００１６】
上記目的のために、本発明は、第１に、コンテンツブロードキャストネットワークへ及び通信ネットワークへ接続される通信設備へのコンテンツの送信のための方法であって、
ｉ）前記ブロードキャストネットワークを介して通信設備へライブでコンテンツを送信する工程と、
ｉｉ）送信された前記コンテンツを受信し完全に記憶した通信設備を決定する工程と、
ｉｉｉ）各記憶されたコンテンツを所定の規則に従ってチャンクに分けて、各記憶されたコンテンツで最初と最後のチャンクを指定することを求めるために、決定された通信設備のアイテムのうち１つを選択する工程と、
ｉｖ）前記送信されたコンテンツを完全に記憶した他の通信設備に、該記憶されたコンテンツの夫々の最初と最後のチャンクの指定を考慮しながら前記所定の規則に従って前記記憶されたコンテンツの分割を進めるよう求める工程と、
ｖ）前記分割されたコンテンツの識別子を、これらのコンテンツがピア・ツー・ピア型式の送信モードに従って他の通信設備によって前記通信設備のアイテムから回復され得るように、これらのコンテンツを分割した前記通信設備の識別子と対応付けて記憶する工程と
を有する方法を提案する。
【００１７】
本発明に従う方法は、別個に又は組み合わせてとられ得る他の特徴を有することができる。特に：
−  前記工程ｉｉｉ）で、例えば、通信設備のアイテムを、少なくとも１つの選ばれた規準に従って、又はくじで選ぶことによって、選択することが可能である；
−  前記工程ｉｉｉ）で、選択された前記通信設備のアイテムは、コンテンツデータに伴うヘッダから選択される情報の少なくとも１つの項目の検出に関する所定の規則に従って、記憶される各コンテンツをチャンクに分けることができる；
＞  前記工程ｉｉｉ）で、情報の選択されるフィールドの存在を検出することが可能であり、更に、検出された各情報フィールドを２つの連続するチャンクの境界を定めるために使用することが可能である；
・  前記工程ｉｉｉ）で、ＭＰＥＧ−２ＴＳフォーマットに従って送信されるコンテンツの存在下で、前記情報のフィールドは少なくともＰＣＲフィールド、ＰＴＳフィールド及びＥＩＴ−ＰＦフィールドから選択され得る；
−  前記工程ｉｖ）で、前記送信されたコンテンツを完全に記憶した通信設備の各アイテムは、当該コンテンツに関して指定される前記最初と最後のチャンクの前後に位置付けられているコンテンツの如何なるチャンクも削除することができる；
−  前記工程ｉｉ）で、通信設備のアイテムが前記送信されたコンテンツを完全に記憶している場合に、該通信設備のアイテムはその旨を管理設備のアイテムへ知らせることができる。この場合に、前記工程ｉｉｉ）で、前記管理設備のアイテムは、該管理設備のアイテムに前記コンテンツの完全な記憶を知らせたものから通信設備のアイテムを選択し、次いで、この選択された通信設備のアイテムに、記憶された各コンテンツを前記所定の規則に従ってチャンクに分割して、各記憶されたコンテンツでその最初と最後のチャンクを指定するよう求めることができる；
＞  前記工程ｉｉｉ）で、前記管理設備のアイテムは、更に、前記選択された通信設備のアイテムに、それらのコンテンツの最初と最後のチャンクの前記指定を該管理設備のアイテムへ送信するよう求めることができる。この場合に、前記工程ｉｖ）で、前記管理設備のアイテムは、（前記送信されたコンテンツを完全に記憶している）前記他の通信設備へ、これらのコンテンツの最初と最後のチャンクの前記指定を送信することができる。これにより、前記他の通信設備は、前記所定の規則に従って且つ前記指定を考慮しながら前記記憶されたコンテンツの分割を進めることができる。前記工程ｖ）で、前記管理設備のアイテムは、分割されたコンテンツの識別子を、これらのコンテンツを分割した前記通信設備の識別子と対応付けて記憶することができる。
【００１８】
本発明は、また、コンテンツブロードキャストネットワークへ及び通信ネットワークへ接続されるのに適した通信設備のアイテムのための制御装置であって、前記通信設備のアイテムが前記ブロードキャストネットワークを介して送信される全てのコンテンツを受信し記憶したかどうかを決定し、全てのコンテンツの受信及び記憶が確認される場合に、前記通信設備のアイテムによる前記コンテンツの完全な記憶を知らせるメッセージの管理設備のアイテムへの送信を開始するよう配置される解析手段を有する制御装置を提案する。
【００１９】
本発明に従う制御装置は、別個に又は組み合わせてとられ得る他の特徴を有することができる。特に：
−  当該制御装置は、前記管理設備のアイテムからのメッセージを受信する場合に、前記通信設備のアイテムをマスタとして指定し、記憶された前記コンテンツを所定の規則に従ってチャンクに分割して該記憶されたコンテンツに関して最初と最後のチャンクを指定するために該記憶されたコンテンツの分割を要求するよう配置され、これにより、前記分割されたコンテンツがピア・ツー・ピア（Ｐ２Ｐ）型式の送信モードに従って他の通信設備によって回復され得るようにする処理手段を有することができる；
＞  前記処理手段は、前記分割されたコンテンツの最初と最後のチャンクの指定を含むメッセージの前記管理設備のアイテムへの送信の開始に関与することができる；
＞  前記処理手段は、前記管理設備のアイテムからの、以前に記憶されたコンテンツの最初と最後のチャンクの指定を含むメッセージを受信する場合に、前記所定の規則に従って且つ当該コンテンツに関して指定される前記最初と最後のチャンクを考慮しながら当該コンテンツをチャンクに分割することに関与することができ、これにより、該分割されたコンテンツがピア・ツー・ピア（Ｐ２Ｐ）型式の送信モードに従って他の通信設備によって回復され得るようにする；
＞  前記処理手段は、コンテンツデータに伴うヘッダから選択される情報の少なくとも１つの項目の検出に関する所定の規則に従って、記憶される各コンテンツをチャンクに分けることに関与することができる；
・  前記処理手段は、情報の選択されるフィールドの存在を検出し、検出された各情報フィールドを２つの連続するチャンクの境界を定めるために使用することに関与することができる；
＞  前記処理手段は、分割されたコンテンツで、該コンテンツに関して指定される前記最初と最後のチャンクの前後に位置付けられているコンテンツの如何なるチャンクも削除することに関与することができる。
【００２０】
本発明は、また、コンテンツブロードキャストネットワークへ及び通信ネットワークへ接続されるよう設計され、上記のいずれかの制御装置を備えた通信設備のアイテムを提案する。
【００２１】
本発明は、また、コンテンツのストリーミング及びライブのブロードキャストネットワークへ及び／又は通信ネットワークへ接続されるよう設計される管理設備であって、通信設備の組によるコンテンツの完全な記憶を知らせるメッセージを受信する場合に、前記組から通信設備のアイテムのうち１つを選択し、この選択された通信設備のアイテムへ、該アイテムに、該アイテムが完全に記憶したコンテンツを所定の規則に従ってチャンクに分割して、記憶された各コンテンツで最初と最後のチャンクを指定するよう求めるメッセージを送信することに関与する選択手段を有する管理設備のアイテムを提案する。
【００２２】
本発明に従う管理設備のアイテムは、別個に又は組み合わせてとられ得る他の特徴を有することができる。特に：
−  前記選択手段は、更に、前記メッセージにおいて、前記通信設備のアイテムが、該アイテムが完全に記憶したコンテンツの最初と最後のチャンクの指定を当該管理設備のアイテムへ送信することを求めることに関与することができる。この場合に、当該管理設備は、コンテンツを完全に記憶した設備の組の一部である通信設備のアイテムからの、該コンテンツの最初と最後のチャンクの指定を含むメッセージを受信する場合に、これらの指定を前記組の他の通信設備へ送信することに関与することができ、これにより、前記他の通信設備が、自身の番になって、前記所定の規則に従って且つその最初と最後のチャンクの指定を考慮しながら前記記憶されたコンテンツの分割を進めるようにする管理手段を更に有することができる；
−  当該管理設備は、前記分割されたコンテンツの識別子を、これらのコンテンツがピア・ツー・ピア（Ｐ２Ｐ）型式の送信モードに従って他の通信設備によって前記通信設備のアイテムから回復され得るように、これらのコンテンツを分割した通信設備の識別子と対応付けて記憶することに関与する記憶手段を有することができる；
−  前記選択手段は、少なくとも１つの選ばれた規準に従って、又はくじで選ぶことによって、通信設備のアイテムを選択することに関与することができる。
【００２３】
本発明は、特に、（少なくとも）ＡＤＳＬ、ＤＶＢ−Ｔ、ＤＶＢ−Ｈ、Ｔ−ＤＭＢ及びＤＡＢから選択される型式のブロードキャストネットワークによるコンテンツの送信に適する。しかし、これらに限定されない。
【発明の効果】
【００２４】
本開示の方法等によれば、分割されたコンテンツは、そのコンテンツを分割した通信設備のアイテムから、ピア・ツー・ピア型式の送信モードに従って他の通信設備によって回復され得る。
【図面の簡単な説明】
【００２５】
【図１】極めて図式的且つ機能的な様式で、本発明に従う制御装置を各々備え且つコンテンツのストリーミング及びライブのブロードキャストネットワークへ並びに通信ネットワークへ接続された通信設備の２つのアイテムを表す。
【発明を実施するための形態】
【００２６】
本発明の他の特徴及び利点は、以下の詳細な記載及び添付の図面の検討から明らかとなるであろう。図面において、図１は、極めて図式的且つ機能的な様式で、本発明に従う制御装置を各々備え且つコンテンツのストリーミング及びライブのブロードキャストネットワークへ並びに通信ネットワークへ接続された通信設備の２つのアイテムを表している。また、ブロードキャストネットワーク及び／又は通信ネットワークには、本発明に従う管理設備のアイテムが接続されている。
【００２７】
添付の図面は、本発明を実現するためのみならず、必要に応じて、その定義に寄与するために使用され得る。
【００２８】
本発明の目的は、コンテンツのストリーミング及びライブの（又はわずかに遅延のある）ブロードキャストネットワークへ並びに通信ネットワークへ接続される通信設備がそれらのコンテンツの少なくとも一部を自身に記憶することを可能にし、これにより、コンテンツが、ブロードキャストネットワークへ及び通信ネットワークへ、又は通信ネットワークにのみ接続される他の通信設備によって、繰り延べられたモードで、回復され得ることである。
【００２９】
コンテンツは、例えば、ビデオ・オンデマンド（ＶＯＤ）・サービス又はプログラム放送サービス（例えば、テレビジョン又はラジオ又は音楽。）又はファイル（若しくはデータ）の枠組み内で、ストリーミングモードにおいて且つライブで送信され得る。
【００３０】
ブロードキャストネットワーク及び通信ネットワークは互いの代わりをすることができる点に留意することが重要である。この場合に、通信ネットワークはまた、コンテンツの放送を提供する。
【００３１】
以下で、限定されない例として、ブロードキャストネットワーク（Ｎ１）はＤＶＢ−Ｔ型式であると考えられる。しかし、本発明は、このような形式のブロードキャストネットワークに限られない。実際には、本発明は、通信設備を対象とする（場合により、多重化された）コンテンツのストリーミング及びライブ放送が可能な、有線又は無線の、あらゆる型式のブロードキャストネットワーク（又はインフラ）に関する。従って、ブロードキャストネットワークは、例えば、ｘＤＳＬ型式のライン若しくはケーブル又は光ファイバのような、高い又は中間のビットレート送信ラインネットワーク等の有線ネットワークや、あるいは（例えば、ＤＶＢ−Ｔ、ＤＶＢ−Ｈ、Ｔ−ＤＢＭ若しくはＤＡＢ型式の）地上又は衛星のブロードキャストネットワーク、あるいはまた（地上（例えば、ＤＶＢ−Ｈ）及び衛星の両方である）ハイブリットネットワークでありうる。
【００３２】
更に、以下で、限定されない例として、通信ネットワーク（Ｎ２）はＩＰアクセスを提供する（例えば、ＡＤＳＬ型式の）有線ネットワークであると考えられる。しかし、本発明は、このような通信ネットワークに限られない。実際には、本発明は、ワイヤを通して又は波を通して、（場合により、ＩＰ型式の）コンテンツデータパケットを送信することが可能なあらゆる通信ネットワークに関する。従って、本発明はまた、ケーブル若しくは光ファイバを備えた有線ネットワーク、又は場合により移動体若しくはセル型式の無線ネットワークに関する。
【００３３】
上記の実例となる選択を考慮して、以下では、限定されない例として、クライアントの通信設備（Ｔｉ）がＳＴＢ（Set-Top  Box）型式のコンテンツ受信機であると考えられる。しかし、本発明は、このような通信設備に限られない。実際には、本発明は、ブロードキャストネットワークから、具体的にストリーミングモードで且つライブで、コンテンツを受信して、通信ネットワークを介して他の通信設備又はネットワーク設備と、特にピア・ツー・ピアモードに従って、ワイヤを通して又は波を通してコンテンツデータパケットを交換することが可能なあらゆる通信設備に関する。従って、本発明はまた、固定又は移動（若しくはセル）式の電話、固定又は携帯型のコンピュータ、携帯情報端末（ＰＤＡ）、コンテンツ受信機（例えば、デコーダ又はレジデンシャルゲートウェイ。）に関する。
【００３４】
図１には、２つのタイプの通信設備Ｔｉ（ｉ＝１又は２）及びＴ’ｊ（ｊ＝１〜３）が示されている。第１タイプ（Ｔｉ）は、本発明に従う装置Ｄｉを備えられており且つブロードキャストネットワークＮ１へ及び通信ネットワークＮ２へ接続されている通信設備を含む。第２タイプ（Ｔ’ｊ）は、本発明に従う装置Ｄｉを備えられておらず、ブロードキャストネットワークＮ１へ及び通信ネットワークＮ２へ（その場合に、それらは、古典的に、それら自身の使用のためにライブでコンテンツを受信し、第１タイプＴｉの通信設備のアイテムから完全なコンテンツを回復することができる。）、又は通信ネットワークＮ２にのみ（その場合に、それらは、第１タイプＴｉの通信設備のアイテムから完全なコンテンツを回復することしかできない。）接続されている通信設備を含む。
【００３５】
明らかなように、インデックスｉ及びｊは１以上の如何なる値もとることができる。
【００３６】
最後に、以下で、限定されない例として、放送のコンテンツはテレビジョンプログラム（映像）であると考えられる。しかし、本発明は、このようなコンテンツに限られない。本発明は、実際には、（場合により、多重化された）データパケットの形で放送することができるデータの組を有するあらゆるコンテンツに関する。従って、本発明はまた、例えば、音声プログラム（ラジオ若しくはミュージカル）のような音声コンテンツ、ゲーム、マルチメディアコンテンツ、又は電子ファイル（若しくはデータ）に関する。
【００３７】
本発明は、５つの主たる工程を有する方法を提案する。
【００３８】
第１の主たる工程（ｉ）は、ブロードキャストネットワークＮ１を介して第１タイプＴｉの通信設備へストリーミングモードにおいてライブでコンテンツを送信することにある。
【００３９】
表されているように、コンテンツは、例えば、ブロードキャストネットワークＮ１へ接続されているコンテンツサーバＣＳから発せられる。しかし、コンテンツは、複数のコンテンツサーバから発せられても良い。
【００４０】
第１タイプＴｉの幾つかの通信設備は、例えばメモリＭＹ（又はいずれかの等価な記憶手段）に、コンテンツプロバイダがＰ２Ｐモードにおいて繰延モードで回復されることを可能にする、ライブで送信される幾つかのコンテンツを記憶（セーブ）する。これを達成するよう、それらのコンテンツは、例えば、電子プログラムガイド（ＥＰＧ）又はサービス情報テーブル内で、コンテンツを定義する情報の組に従ってプログラミングされる。
【００４１】
ＥＰＧは、コンテンツプロバイダによって生成されるファイル（例えば、テレビジョンプログラム。）であり、ＥＰＧが定義するコンテンツの送信の開始前に、具体的にブロードキャストネットワークＮ１を介して、通信設備Ｔｉ及びＴ’ｊへ定期的に送信されることが思い起こされる。ＥＰＧは、特に、コンテンツ（ここではテレビジョンプログラム。）ごとに、サマリ（summary）、そのタイプを定義するフィールド、その放送継続時間、並びにそのライブ放送の開始及び終了の時刻と、場合により、そのライブ放送がＰ２Ｐモードにおいて繰延モードで回復され得ることを知らせる表示とを含む。従って、コンテンツの記録は通常、ＥＰＧで示されるこのコンテンツの放送の理論上の開始数分（例えば、２、３分。）前に始まり、また、通常、ＥＰＧで示されるこのコンテンツの放送の理論上の終了数分（例えば、２、３分。）後に終了する。
【００４２】
方法の第２の主たる工程（ｉｉ）は、ブロードキャストネットワークＮ１を介して放送によって送信されるコンテンツを完全に受信して記憶する第１タイプＴｉの通信設備を決定することにある。
【００４３】
この第２の主たる工程（ｉｉ）は、例えば、第１タイプＴｉの通信設備の主導で、より具体的には、（表されるように）それら通信設備が有する又はそれら通信設備に結合されている制御装置Ｄｉの主導で実行され得る。
【００４４】
制御装置Ｄｉは、本発明に従って、第１タイプＴｉのその通信設備がブロードキャストネットワークＮ１を介してライブで送信されたコンテンツの全体を受信（及び記憶）したかどうかを最初に決定することに関与する解析モジュールＡＭを有する。これを達成するために、解析モジュールＡＭは、例えば、コンテンツの記憶の開始及び終了の時刻がＥＰＧで示されるコンテンツの放送の開始及び終了の時刻に対応しているかどうかを確認するよう、第１タイプＴｉのその通信設備の記憶手段ＭＹに記憶されるコンテンツのデータを監視することができる。
【００４５】
肯定で（従って、このようなコンテンツが記憶された場合は）、解析モジュールＡＭは、第１タイプＴｉのその通信設備による指定されるコンテンツの完全な記憶を知らせるメッセージの、本発明に従う管理設備ＭＥのアイテムへの送信を開始する。
【００４６】
この管理設備ＭＥのアイテムは、ブロードキャストネットワークＮ１を介して及び／又は（図１に限定されない様式で示されるように）通信ネットワークＮ２を介してアクセスされ得る。
【００４７】
管理設備ＭＥのアイテムは、特に、第１タイプＴｉの通信設備によって送信される、指定されるコンテンツの完全な記憶を知らせるメッセージを受信することに関与する。このようなメッセージの受信において、例えば、管理設備ＭＥのアイテムは、メッセージを送信した第１タイプＴｉの通信設備の通信識別子を、その通信設備が指定するコンテンツの識別子と対応付けて（予め）記憶することができる。
【００４８】
このような情報メカニズムを用いて、管理設備ＭＥのアイテムは、自身の記憶手段ＭＹにコンテンツを有効に一体化して（又は完全に）記憶した第１タイプＴｉの通信設備を、コンテンツの放送後に極めて迅速に決定する。従って、第１タイプＴｉのこの通信設備は、（少なくとも）放送のコンテンツと関連づけられた組を形成する。
【００４９】
方法の第３の主たる工程（ｉｉｉ）は、（少なくとも）放送のコンテンツに関連する組の一部である第１タイプＴｉの通信設備のアイテムのうち１つに、所定の規則に従って受け取ったコンテンツをチャンク（chunks）に分けて、各受け取ったコンテンツで最初と最後のチャンクを指定するよう求めるために、通信設備の１つのアイテムを選択することにある。
【００５０】
この選択は優先的に管理設備ＭＥで行われることが理解される。この場合に、管理設備ＭＥのアイテムは、特に、上述されたように、（少なくとも）放送のコンテンツと関連する組の第１タイプＴｉの通信設備のアイテムの中から、受け取ったメッセージから選定される１つを選択することに関与する選択モジュールＳＭを有する。この選択された設備、例えばＴ１は、例えば、（少なくとも）放送のコンテンツに関して“マスタ”と呼ばれる。
【００５１】
あらゆる選択が考えられる。特に、（例えば、利用可能な帯域幅又はビットレート、あるいはまた記憶容量にわたる）少なくとも１つの規準に従う又はくじで（ランダムに）選ぶことによる選択が考えられる。
【００５２】
選択モジュールＳＭが（少なくとも）放送のコンテンツに関してマスタ設備を選択すると、選択モジュールＳＭは、マスタ設備Ｔ１へ、完全に記憶されているコンテンツを所定の規則に従ってチャンクに分割して、記憶される各コンテンツで最初と最後のチャンクを指定するようマスタ設備Ｔ１に求めるメッセージを送信する。
【００５３】
このようなメッセージを受信すると、マスタ設備Ｔ１はそのメッセージを自身の制御装置Ｄ１へ送る。制御装置Ｄ１は、その設備アイテムＴ１がメッセージで指定される（少なくとも）放送のコンテンツに関するマスタとして指定された場合に、所定の規則に従って各指定されるコンテンツをチャンクに分けて、そのコンテンツに関して最初と最後のチャンクを指定するために、各指定されるコンテンツをそのマスタ設備Ｔ１の記憶手段ＭＹから取り出すことに関与する処理モジュールＰＭを有する。
【００５４】
あらゆる規則が考えられる。特に、コンテンツが例えばＩＰ（インターネットプロトコル）のようなパケットの形で送信される場合にコンテンツの（有用な）データに伴うトランスポート層のヘッダから選択される少なくとも１つの情報の検出に関連する規則が考えられる。この解決方法は、コンテンツへ適用されるセキュア（securing）メカニズム（又はＤＲＭ（Digital  Rights  Management））に対する独立性を保証する。例えば、処理モジュールＰＭは、情報の選択されるフィールドの存在を検出するために、記憶されているコンテンツを解析することができる。例えば、コンテンツがＭＰＥＧ−２ＴＳフォーマット（Transport  Stream）に従って送信される場合に、処理モジュールＰＭは、特に、ＰＣＲ（Program  Clock  Delivery−再同期のために使用されるフィールド）又はＰＴＳ（Presentation  Time  Stamp−時間情報を知らせるために使用されるフィールド）と呼ばれる情報のフィールドに関してＴＳヘッダを検索することができる。
【００５５】
ＤＶＢ標準規格（Digital  Video  Broadcasting−デジタル形式で映像を送信するための標準規格）に従って、ＰＣＲフィールドが映像の各ピクチャの前に置かれることが思い出される。すなわち、ＰＣＲフィールドは４０ミリ秒ごとにあって、従って、ＴＳパケットごとにある。
【００５６】
（例えば、ＴＳヘッダで）検出される情報の各フィールドは、次いで、２つの連続するチャンクの境界を定めて、記憶されるコンテンツの分割を可能にするために使用され得る。
【００５７】
処理モジュールＰＭがコンテンツをチャンクに分割すると、処理モジュールＰＭは、それらのうち一方を最初のチャンク（すなわち、コンテンツ開始チャンク。）として、また、それらのうち他方を最後のチャンク（すなわち、コンテンツ終了チャンク。）として選択する。
【００５８】
この２つの選択（コンテンツの開始及び終了）は、例えば、ＥＰＧ（又は同様のもの）に含まれる情報の項目を用いて行われ得る。変形例として、この２つの選択（コンテンツの開始及び終了）は、例えば、コンテンツの送信の前にユーザへ送信されるＥＩＴ（Event  Information  Table）と呼ばれるコンテンツに関する情報テーブルに更に含まれるフィールドＥＩＴ−ＰＦ（Present/Following）として情報のフィールドにおいて各“イベント”の開始時に送信される（特に、コンテンツを構成する）情報を用いることによって行われ得る。
【００５９】
次いで、分割されたコンテンツは、例えば、マスタ設備Ｔ１の記憶手段ＭＹに、あるいはマスタ設備Ｔ１の他の記憶手段に、再び記憶される。これにより、分割されたコンテンツは、ピア・ツー・ピア（Ｐ２Ｐ）型式の送信モードに従って、第１タイプＴｉ’（ｉ’≠ｉ）又は第２タイプＴ’ｊの他の通信設備によってその後に回復され得る。
【００６０】
処理モジュールＰＭが分割されたコンテンツの最後の記憶を進める前に、処理モジュールＰＭは、場合により、処理モジュールＰＭがこの分割されたコンテンツに関して選択した最初と最後のチャンクの前後に位置付けられている如何なるチャンクも削除することができる。
【００６１】
方法の第４の主たる工程（ｉｖ）は、（少なくとも１つの）コンテンツを分割したマスタ設備Ｔ１と同じ組の一部である第１タイプの他の通信設備（例えば、Ｔ２。）に、自身の番において、（マスタ設備Ｔ１によって用いられる）所定の規則に従って且つ（夫々の）それらの最初と最後のチャンクの指定を考慮しながら、それらが記憶するコンテンツの分割を進めるよう求めることにある。
【００６２】
最初と最後のチャンクの指定は、例えば、（例えば、映像の場合に最初と最後のピクチャである）コンテンツの最初と最後を構成するデータの供給にあっても良い。しかし、それはまた、ＥＰＧでコンテンツの最初と最後のピクチャを指定する情報に関連しても良い。この場合に、先行するコンテンツの最後のピクチャと指定されるコンテンツの最初のピクチャとの間の比較は、指定されるコンテンツの最初のピクチャを決定することを可能にし、更に、指定されるコンテンツの最後のピクチャと続くコンテンツの最初のピクチャとの比較は、指定されるコンテンツの最後のピクチャを決定することを可能にする。
【００６３】
コンテンツの最初と最後のチャンクの指定は、例えば、マスタ設備Ｔ１によって直接に、その組の第１タイプの通信設備（Ｔ２）へ送信され得る。しかし、これは、マスタ設備Ｔ１が第１タイプの通信設備のこれらの他のアイテム（Ｔ２）の通信アドレス（又は少なくとも識別子）を知っていることを要する。かかるアドレス（又は識別子）は、例えば、通信設備Ｔ１をマスタとして指定するメッセージと同時に、又は当然に要求で、従って通信設備Ｔ１の主導で、管理設備ＭＥによって通信設備Ｔ１へ送信され得る。
【００６４】
しかし、有利な変形例において、コンテンツの最初と最後のチャンクの指定は、例えば、専用のメッセージによって、マスタ設備Ｔ１の制御装置Ｄ１の処理モジュールＰＭの主導で、最初に管理設備ＭＥへマスタ設備Ｔ１によって送信され得る。
【００６５】
この場合に、管理設備ＭＥは、それが、（少なくとも）コンテンツに関連する組の一部であるマスタ設備Ｔ１からの、このコンテンツの最初と最後のチャンクの指定を含む専用のメッセージを受け取る場合に、受け取った最初と最後のチャンクの指定を含むメッセージを第１タイプの通信設備の他のアイテム（Ｔ２）の夫々へ送信するために、（その管理設備ＭＥによって予め記憶されている）この組の第１タイプの他の通信設備（Ｔ２）の通信アドレス（又は少なくとも識別子）を決定することに関与する管理モジュールＭＭを有する。
【００６６】
次いで、第１タイプの通信設備の他のアイテム（Ｔ２）がこれらのメッセージを受信する場合に、かかるアイテムは、それらの各自の制御装置（Ｄ２）へそれらのメッセージを送る。次いで、各制御装置（Ｄ２）の処理モジュールＰＭは、第１タイプのその通信設備（Ｔ２）の記憶手段ＭＹから、受け取ったメッセージで指定される各コンテンツを取り出し、（マスタ設備Ｔ１によって使用される）所定の規則に従って且つ受け取ったメッセージに含まれるその最初と最後のチャンクの指定を考慮しながら、それらの各コンテンツをチャンクに分割する。
【００６７】
次いで、各制御装置（Ｄ２）の処理モジュールＰＭは、例えば、第１タイプのその通信設備（Ｔ２）の記憶手段ＭＹに、又はその通信設備（Ｔ２）の他の記憶手段に、各分割されたコンテンツを再び記憶する。これにより、分割されたコンテンツは、ピア・ツー・ピア（Ｐ２Ｐ）型式の送信モードに従って、第１タイプＴｉ’（ｉ’≠ｉ）又は第２タイプＴ’ｊの他の通信設備によってその後に回復され得る。上述されたように、処理モジュールＰＭが分割されたコンテンツの最後の記憶を進める前に、処理モジュールＰＭは、場合により、処理モジュールＰＭがこの分割されたコンテンツに関して選択した最初と最後のチャンクの前後に位置付けられている如何なるチャンクも削除することができる。
【００６８】
方法の第５の主たる工程（ｖ）は、分割されたコンテンツの識別子を、このコンテンツを分割した第１タイプＴｉの通信設備の識別子と対応付けて記憶することにある。この記憶は、例えば、管理設備ＭＥの記憶手段ＳＭで行われ得る。この記憶手段ＳＭは、例えばメモリ又はデータベースのような、何らかの形で提供され得る。
【００６９】
例えば、管理設備ＭＥは、コンテンツ放送を完全に記憶する第１タイプＴｉの通信設備の通信アドレス（又は少なくとも識別子）のリストの、各コンテンツ放送に関して示され且つ繰延モードで回復され得るテーブルを自身の記憶手段ＳＭに記憶し更新することができる。このようなテーブルは、ピア・ツー・ピア（Ｐ２Ｐ）型式の送信モードに従って、クライアントであるユーザを有する第１タイプＴｉ及び第２タイプＴ’ｊの通信設備が、コンテンツを記憶する第１タイプＴｉの通信設備からユーザに興味を起こさせるコンテンツを回復することができるように、これらの通信設備へ管理設備ＭＥによって（例えば、周期的に）送られ得る。
【００７０】
第１タイプＴｉの通信設備の各アイテムは、場合により、繰延回復を視野に入れて分割される統合されたコンテンツの記憶時間に関して、それ自身の規定（policy）を提供することができることが知られる。言い換えると、それは、例えば、所定の存続時間の間だけ、分割されたコンテンツを記憶することができる。
【００７１】
また、第１タイプＴｉの通信設備の各アイテムは、場合により、全ての分割されたコンテンツのチャンクの夫々に識別子を割り当てた後に、そのアイテムが分割したコンテンツの最初と最後のチャンクの間に位置付けられている選択されたチャンクを削除するように配置され得ることが知られる。従って、それは、そのユーザに興味を起こさせるコンテンツのみを記憶する一方、削除の動作の後にその記憶手段に保持しているコンテンツの部分を回復する可能性を他の設備に提供する。
【００７２】
また、同じ完全な（分割された）コンテンツを記憶する第１タイプＴｉの（通信）設備のアイテムの数が少ない場合は、管理設備ＭＥは、この完全なコンテンツを自身に記憶して、第１タイプＴｉ’又は第２タイプＴ’ｊの設備の他のアイテムに利用可能とするために、場合により、第１タイプＴｉの通信設備の１又はそれ以上のアイテムに、その完全なコンテンツを、それを記憶する第１タイプＴｉの通信設備のアイテムのうちの１つから作動し回復するよう求めるように配置され得ることが知られる。この場合に、予め分割されているコンテンツを記憶する第１タイプＴｉ’の設備の各新しいアイテムの通信アドレス（又は少なくとも識別子）は、管理設備ＭＥの記憶手段ＳＭに記憶されるテーブルに、このコンテンツの識別子と対応付けて加えられる。
【００７３】
本発明に従う制御装置Ｄｉは優先的にソフトウェアモジュールの形で実現されることが知られる。しかし、それはまた、電子回路（ハードウェア）又はソフトウェアモジュール及びハードウェアの結合の形でも実現され得る。
【００７４】
同様に、管理設備ＭＥの選択モジュールＳＭ及び場合により記憶手段ＳＭは、望ましくは、ソフトウェアモジュールの形で実現される。しかし、それ又はそれらは、また、ハードウェア又はソフトウェアモジュール及びハードウェアの結合の形でも実現され得る。
【００７５】
本発明は、単なる一例としての、上記の制御装置、通信設備、管理設備及び送信方法の実施形態に限定されず、当業者が特許請求の範囲の記載範囲内で考えることができる全ての変形例を包含する。
【符号の説明】
【００７６】
ＡＭ  解析モジュール
ＣＳ  コンテンツサーバ
Ｄ１，Ｄ２  制御装置
ＭＥ  管理設備
ＭＹ  記憶手段
Ｎ１  ブロードキャストネットワーク
Ｎ２  通信ネットワーク
ＰＭ  処理モジュール
ＳＭ  選択モジュール
ＳＭ  記憶手段
Ｔ１，Ｔ２  第１タイプの通信設備
Ｔ’１，Ｔ’２，Ｔ’３  第２タイプの通信設備
【図１】
2009177811.tif 000003